(57)【要約】【課題】床面を確実に掃除できる回転ブラシを備えた床ブラシを提供する。【解決手段】ブラシ台１４の外周にブラシ台１４の軸方向に沿って第１の係合凹部１５を設ける。第１の係合凹部１５に掻取部材２１の基端部を係止させて掻取部材２１をブラシ台１４の径方向に向けて突出させる。ブラシ台１４の外周にブラシ台１４の軸方向に沿って第１の係合凹部１５とは別個の第２の係合凹部１６を設ける。第２の係合凹部１６にブラシ部材２２の基端部を係止させてブラシ部材２２をブラシ台１４の径方向に向けて掻取部材２１よりもブラシ台１４の外周からの突出量が小さくなるように突出させる。ブラシ部材２２の先端部が床面に接触した際の腰砕けを防止でき、掻取部材２１とブラシ部材２２で床面を確実に掃除できる。【選択図】        図１
2004358116.tif 000002
【特許請求の範囲】
【請求項１】
軸状の取付部材と、
この取付部材の外周にこの取付部材の軸方向に沿って設けられた第１の溝部と、
この第１の溝部に基端部が係止され、前記取付部材の径方向に向けて突出する第１の清掃部材と、
前記取付部材の外周にこの取付部材の軸方向に沿って第１の溝部とは別個に設けられた第２の溝部と、
前記第１の清掃部材よりも軟質であり、前記第２の溝部に基端部が係止され、かつ前記取付部材の径方向に向けて前記第１の清掃部材よりも前記取付部材の外周からの突出量が小さい状態で突出する第２の清掃部材と
を具備したことを特徴とした回転清掃体。
【請求項２】
取付部材は、第１の領域、および断面中心からの突出量が前記第１の領域よりも大きい第２の領域を備え、
第１の溝部は、前記第１の領域に設けられ、
第２の溝部は、前記第２の領域に設けられている
ことを特徴とした請求項１記載の回転清掃体。
【請求項３】
第１の清掃部材および第２の清掃部材は、取付部材の断面中心からそれぞれの先端部までの距離が互いに等しい
ことを特徴とした請求項１または２記載の回転清掃体。
【請求項４】
軸状の取付部材と、
この取付部材の外周にこの取付部材の軸方向に沿って設けられた第１の溝部と、
前記取付部材の外周にこの取付部材の軸方向に沿って第１の溝部とは別個に設けられ、前記取付部材の断面中心から底部までの距離が、前記取付部材の断面中心から前記第１の溝部の底部までの距離よりも大きい第２の溝部と、
前記第１の溝部に基端部が係止され、前記取付部材の径方向に向けて突出する第１の清掃部材と、
この第１の清掃部材よりも軟質であり、前記第２の溝部に基端部が係止され、かつ前記取付部材の断面中心から先端部までの距離が、前記取付部材の断面中心から前記第１の清掃部材の先端部までの距離と等しい状態で前記取付部材の径方向に向けて突出する第２の清掃部材と
を具備したことを特徴とした回転清掃体。
【請求項５】
吸込口を備えたケース体と、
被掃除面に対向して前記ケース体に回転可能に軸支される請求項１ないし４いずれか一記載の回転清掃体と
を具備したことを特徴とした電気掃除機の吸込口体。
【発明の詳細な説明】
【０００１】
【発明の属する技術分野】
本発明は、取付部材の軸方向に沿って径方向に向けて突出する第１の清掃部材と第２の清掃部材とを有する回転清掃体およびこれを備えた電気掃除機の吸込口体に関する。
【０００２】
【従来の技術】
従来、この種の電気掃除機の吸込口体に取り付けられる回転清掃体としての回転ブラシは、取付部材としての円筒状のブラシ台を備えている。このブラシ台は、外周面に、軸方向に沿って直線状に設けられた溝部を複数備えている。これら溝部は、ブラシ台の断面の中心に対して径方向に互いに略等しい距離に設けられている。すなわち、溝部は、深さがそれぞれ略等しく形成されている。さらに、これら溝部には、第１の清掃部材としてのブラシ部材と、第２の清掃部材としてのゴムブレードである掻取部材との基端側がそれぞれ係止されている。これらブラシ部材および掻取部材は、ブラシ台の周方向に沿って交互に取り付けられている。また、ブラシ部材は、掻取部材よりも軟質、かつ靭性が小さい、すなわち腰が弱い部材にて設けられている。そして、ブラシ部材は、ブラシ台の断面の中心から先端部までの距離が、ブラシ台の断面の中心から掻取部材の先端部までの距離よりも大きく形成されている。すなわち、ブラシ部材の突出量は、掻取部材の突出量よりも大きい（例えば、特許文献１参照。）。
【０００３】
【特許文献１】
特開平１０−３３４２８号公報（第３−５頁、図１）
【０００４】
【発明が解決しようとする課題】
しかしながら、上述の回転ブラシでは、掻取部材を形成する部材の硬さなどに応じて溝部の深さを設定し、かつ掻取部材よりも軟質で腰が弱いブラシ部材の突出量を掻取部材の突出量よりも大きくしているため、ブラシ部材の先端側が床面に接触した際にブラシ部材が床面を擦る程度となって掃除効果を充分に発揮できず、床面の掃除が確実でないという問題点を有している。
【０００５】
本発明はこのような点に鑑みなされたもので、被掃除面を確実に掃除できる回転清掃体およびこれを備えた電気掃除機の吸込口体を提供することを目的とする。
【０００６】
【課題を解決するための手段】
本発明は、取付部材の外周にこの取付部材の軸方向に沿って設けられた第１の溝部に基端部が係止され、取付部材の径方向に向けて突出する第１の清掃部材と、取付部材の外周にこの取付部材の軸方向に沿って設けられ第１の溝部とは別個に設けられた第２の溝部に基端部が係止され、取付部材の径方向に向けて第１の清掃部材よりも取付部材の外周からの突出量が小さい状態で突出する第１の清掃部材よりも軟質の第２の清掃部材とを具備したものである。そして、第１の清掃部材よりも軟質の第２の清掃部材の取付部材の外周からの突出量を小さくすることで、第２の清掃部材の先端部が被掃除面に接触した際の腰砕けを防止し、第１の清掃部材および第２の清掃部材で被掃除面を確実に掃除できる。
【０００７】
また、本発明は、取付部材の断面中心から底部までの距離が、取付部材の断面中心から第１の溝部の底部までの距離よりも大きい第２の溝部と、第１の清掃部材よりも軟質であり、第２の溝部に基端部が係止され、かつ取付部材の断面中心から先端部までの距離が、取付部材の断面中心から第１の清掃部材の先端部までの距離と等しい状態で取付部材の径方向に向けて突出する第２の清掃部材とを具備したものである。そして、第１の清掃部材よりも軟質の第２の清掃部材の基端部を係止する第２の溝部の底部の取付部材の断面中心からの距離を、取付部材の断面中心から第１の溝部の底部までの距離よりも大きくし、かつ取付部材の断面中心から、第１の清掃部材および第２の清掃部材の先端部までの距離を等しい状態で突出させることで、第２の清掃部材の先端部が被掃除面に接触した際の腰砕けを防止し、第１の清掃部材および第２の清掃部材で被掃除面を確実に掃除できる。
【０００８】
【発明の実施の形態】
以下、本発明の第１の実施の形態の電気掃除機の構成を図１ないし図６を参照して説明する。
【０００９】
図６において、１は掃除機本体で、この掃除機本体１の内部には、電動送風機２が収容されている。また、この掃除機本体１は、電動送風機２の駆動にて生じる吸気風とともに吸い込んだ塵埃を捕捉して集塵する。
【００１０】
さらに、この掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手許操作部５が設けられている。
【００１１】
そして、この手許操作部５には、掃除機本体１内の電動送風機２などの駆動状態を所定の状態に設定する複数の設定ボタン６が設けられているとともに、掃除する際に作業者が把持する把持部７が基端側に突設されている。また、この手許操作部５の先端には、伸縮可能な細長略円筒状の延長管８が着脱可能に連通接続されている。さらに、この延長管８の先端には、例えば室内の床面の絨毯などの上に設置させて、この絨毯上の塵埃を吸い込む床ブラシ９が着脱可能に連通接続されている。この床ブラシ９は、電気掃除機の吸込口体である。
【００１２】
また、この床ブラシ９は、図４および図５に示すように、前後方向である走行方向に対して横長で、後部略中央が後方に向けて突出する凸字状のケース体１１を備えている。このケース体１１における被掃除面としての床面に対向する下面には、細長矩形状の吸込口１２が開口形成されている。この吸込口１２は、ケース体１１の走行方向の前側に偏位した位置に設けられており、このケース体１１の走行方向に対する幅方向に沿った長手方向を有した横長矩形状に形成されている。
【００１３】
さらに、このケース体１１の吸込口１２の内側には、細長略円筒状の回転清掃体としての回転ブラシ１３が走行方向に向けて回転自在に軸支されて配設されている。この回転ブラシ１３は、ケース体１１の吸込口１２を床面に対向させた際に、この床面に対向するように取り付けられている。そして、この回転ブラシ１３は、図１ないし図５に示すように、細長筒状、したがって軸方向を有する取付部材としての清掃台である軸状のブラシ台１４を備えている。このブラシ台１４は、例えばプラスチックなどの比較的硬質の部材を押し出し成形して設けられている。
【００１４】
また、このブラシ台１４は、図３に示すように、断面視で略楕円形状に形成されている。したがって、このブラシ台１４は、断面中心Ｏからの突出量Ｌ１を有する第１の領域Ａ１と、断面中心Ｏからの突出量Ｌ２を有する第２の領域Ａ２とを備え、これら第１の領域Ａ１および第２の領域Ａ２が一体に設けられている。ここで、第２の領域Ａ２は、第１の領域Ａ１よりも断面中心Ｏからの突出量が大きい。すなわち、Ｌ２＞Ｌ１である。言い換えると、第２の領域Ａ２は、第１の領域Ａ１よりも断面中心Ｏからブラシ台１４の径方向に突出している。さらに、第１の領域Ａ１は、図３および図４に示す左右方向、すなわち断面中心Ｏに対してブラシ台１４の断面の短軸方向に対称に設けられている。一方、第２の領域Ａ２は、図３および図４に示す上下方向、すなわち断面中心Ｏに対してブラシ台１４の断面の長軸方向に対称に設けられている。言い換えると、第１の領域Ａ１と第２の領域Ａ２とは互いに直交する方向に延設されている。したがって、ブラシ台１４は、断面視で長軸方向および短軸方向にそれぞれ対称な断面形状を有している。
【００１５】
またさらに、ブラシ台１４の各領域Ａ１，Ａ２には、第１の溝部としての第１の係合凹部１５、および、第１の係合凹部１５とは別個の第２の溝部としての第２の係合凹部１６が複数、例えば２つずつ設けられている。これら係合凹部１５，１６は、ブラシ台１４の軸方向に沿ってこのブラシ台１４の一端部から他端部の間に亘って連続した直線状に設けられている。また、第１の係合凹部１５は、ブラシ台１４の周方向に沿って第２の係合凹部１６と隣接している。すなわち、第１の係合凹部１５と第２の係合凹部１６とは、ブラシ台１４の周方向に交互に設けられている。
【００１６】
さらに、これら係合凹部１５，１６は、内部が周方向に幅広となる拡大部１７と、この拡大部１７から外周面に連通しこの拡大部１７より幅狭な連通部１８とにて、段差を設けて断面形状が先端幅狭爪状である凹状に形成されている。ここで、これら係合凹部１５，１６の拡大部１７は、基端側が断面凹弧状に形成されており、先端側の内縁が基端側に対向した平面状に形成されている。また、各係合凹部１５，１６の拡大部１７は、それぞれブラシ台１４の外周面からの距離が等しい位置に設けられている。このため、第２の係合凹部１６の底部である拡大部１７は、ブラシ台１４の断面中心Ｏからの距離Ｌ３が、この断面中心Ｏから第１の係合凹部１５の底部である拡大部１７までの距離Ｌ４よりも大きい。
【００１７】
そして、各第１の係合凹部１５には、第１の清掃部材としての略細長平板状のブレード部材、すなわちゴムブレードである掻取部材２１の基端側が取り付けられている。また、各第２の係合凹部１６には、第２の清掃部材としての磨き部材である略細長平板状のブラシ部材２２の基端側が取り付けられている。すなわち、掻取部材２１およびブラシ部材２２は、ブラシ台１４の周方向に沿って交互に係止されて取り付けられている。そして、掻取部材２１およびブラシ部材２２は、ブラシ台１４の各係合凹部１５，１６に基端側がそれぞれ係止された状態で、このブラシ台１４の径方向に向けて壁状にそれぞれ突出している。
【００１８】
ここで、掻取部材２１は、細長平板状で長手方向の一側両面に肉厚に膨出する掻き出し部２３を断面凹凸状に設けた弾性を有するブレード２４を備えている。このブレード２４の長手方向の他縁には、このブレード２４と同材質にて一体にブラシ台１４の第１の係合凹部１５の断面形状に略合致した形状である細長略平板状のブレード取付部２５が形成されている。このブレード取付部２５は、ブラシ台１４の第１の係合凹部１５に対して係脱可能とされている。
【００１９】
一方、ブラシ部材２２は、ブラシ台１４の第２の係合凹部１６の断面形状に略合致した形状である細長略板状のブラシ取付部２７を備えている。このブラシ取付部２７は、ブラシ台１４の第２の係合凹部１６に対して係脱可能とされている。また、このブラシ取付部２７の表面部には、ブラシ毛２８が長手方向に沿って壁状に植設されている。このブラシ毛２８は、ブレード２４よりも軟質で、靭性が小さい、すなわち腰が弱い部材で形成されている。したがって、ブラシ部材２２は、掻取部材２１よりも軟質に設けられている。
【００２０】
さらに、このブラシ毛２８の先端部とブラシ取付部２７との間の距離は、ブレード２４の先端部とブレード取付部２５との間の距離よりも小さく形成されている。そして、掻取部材２１の先端部とブラシ部材２２の先端部とは、ブラシ台１４の断面中心Ｏからの距離が互いに等しくなっている。すなわち、掻取部材２１の先端部とブラシ部材２２の先端部とは、断面中心Ｏを中心とする同一の円周上に位置している。このため、ブラシ部材２２のブラシ台１４の外周からの突出量は、掻取部材２１のブラシ台１４の外周からの突出量よりも小さい。
【００２１】
なお、掻取部材２１およびブラシ部材２２のブラシ台１４の外周からの突出量は、これら掻取部材２１およびブラシ部材２２を形成する部材の靭性の大小、すなわち腰の強さに応じて設定する。
【００２２】
さらに、ブラシ台１４の各係合凹部１５，１６のそれぞれの間には、ブラシ台１４の長手方向である軸方向に沿った断面略凹状の嵌合溝部としての係止凹部２９がそれぞれ形成されている。これら係止凹部２９は、基端側から先端側に向かうに連れて徐々に拡開したテーパ状に形成されている。また、このブラシ台１４には、断面円形状のシャフト挿通孔３１が同心状に設けられている。
【００２３】
このシャフト挿通孔３１は、ブラシ台１４の両端部間をこのブラシ台１４の中心軸に沿って軸方向に向けて貫通している。そして、ブラシ台１４内であるシャフト挿通孔３１内には、例えば鋼鉄やステンレス鋼（ＳＵＳ）などの金属にて成形された中空パイプ状の軸体としての棒体であるシャフト３２が挿通される。そして、このシャフト３２は、ブラシ台１４より硬質な部材にて直線状に成形されており、このブラシ台１４の両端部から、このシャフト３２の両端部のそれぞれを突出させた状態で、このブラシ台１４のシャフト挿通孔３１に挿通されている。
【００２４】
また、このシャフト３２の両端部には、このシャフト３２の径方向に向けて貫通したピン挿通孔３３が穿設されている。これらピン挿通孔３３は互いに平行な軸方向を有している。またさらに、これらピン挿通孔３３は、シャフト３２をブラシ台１４のシャフト挿通孔３１に挿通させた際に、このブラシ台１４の両端部から突出する位置に設けられている。そして、シャフト３２の各ピン挿通孔３３よりも両端側には、このシャフト３２の周方向に沿った断面凹溝状の係合溝部３４が形成されている。これら係合溝部３４の外周面は、シャフト３２を回転させた際の抵抗を少なくするために研磨加工されて、表面の摩擦係数が小さくなるように設けられている。
【００２５】
さらに、ブラシ台１４の両端部には、図１ないし図５に示すように、ブラシ台１４の両端部を保持固定する保持部材としての受体である略円筒状の受板４１がそれぞれ同軸状に取り付けられている。これら受板４１は、ブラシ台１４のシャフト挿通孔３１に挿通されたシャフト３２の両端部に嵌合されて取り付けられている。
【００２６】
そして、これら受板４１の中心部には、シャフト３２の端部が挿通される挿通孔４２が設けられている。また、受板４１内には、回転ブラシ１３を回転させるための図示しないメタルベアリングが取り付けられている。さらに、この挿通孔４２の一端部である先端部の開口縁には、嵌合突部としてのリブ４３が複数、例えば４つ略等間隔で設けられている。これらリブ４３は、ブラシ台１４の各係止凹部２９に嵌合されて、このブラシ台１４をシャフト３２に保持固定する。言い換えると、これらリブ４３は、ブラシ台１４の各係止凹部２９に引っ掛けられて固定されている。
【００２７】
また、これらリブ４３は、受板４１の挿通孔４２の開口方向である軸方向に沿って突出しており、ブラシ台１４の係止凹部２９に合致した断面形状を有している。さらに、これらリブ４３は、ブラシ台１４の端部を受板４１の先端部に嵌合させた際に、ブラシ台１４の係止凹部２９のそれぞれに軸方向に沿って嵌合される。また、これらリブ４３は、ブラシ台１４の周方向である回転方向へのずれを規制する。
【００２８】
さらに、これらリブ４３の基端部である受板４１の周面部には、この受板４１の挿通孔４２の周方向に沿って突出した円環状の内側鍔部４４が同心状に設けられている。この内側鍔部４４は、各リブ４３をブラシ台１４の一端の各係止凹部２９に軸方向に沿って移動させて嵌合させて、受板４１にブラシ台１４の一端部を係止した際に、このブラシ台１４の一端面が当接する。さらに、この内側鍔部４４は、ブラシ台１４の最大外径よりも若干大きな外径寸法を有しており、このブラシ台１４の第１の係合凹部１５からの掻取部材２１およびブラシ部材２２の抜けを防止する。
【００２９】
また、この内側鍔部４４よりも受板４１の先端側の周面部には、この受板４１の挿通孔４２の周方向に沿って突出した円環状の外側鍔部４５が同心状に設けられている。この外側鍔部４５の外周面側には、外周面に周方向に向けて等間隔にギア溝４６が形成された略円筒状の歯車部４７が同心状に設けられている。そして、この歯車部４７の先端側の内側には、略円筒状の軸受４８が嵌合されている。この軸受４８は、シャフト３２の端部に嵌合されて、このシャフト３２の端部を回転自在に固定する。なお、受板４１の歯車部４７は、軸受４８の外周面を覆って、この軸受４８への塵埃などの侵入を防止する。また、軸受４８の先端側の外周面には、側面視略矩形状の係合面部４９が形成されている。
【００３０】
ここで、床ブラシ９のケース体１１の吸込口１２の走行方向に対する両側縁のそれぞれには、一対の軸支凹部５１が区画形成されている。これら軸支凹部５１のそれぞれには、受板４１の歯車部４７内に嵌合されてシャフト３２の両端部を回転自在に固定した軸受４８の係合面部４９がそれぞれ係合される。この結果、これら軸受４８は、一対の軸支凹部５１間にシャフト３２を回転自在に支持して固定させる。
【００３１】
さらに、内側鍔部４４と外側鍔部４５との間の受板４１の周面部には、ピン挿通孔５３が穿設されている。このピン挿通孔５３は、各受板４１の径方向に沿って貫通している。また、これらピン挿通孔５３は、受板４１の挿通孔４２にシャフト３２を挿通させた状態で、このシャフト３２のピン挿通孔３３に連通する。そして、これらピン挿通孔５３は、シャフト３２のピン挿通孔３３に位置合わせされて連通された状態で、これらピン挿通孔３３，５３に細長円柱状のピン５４が挿入されて、受板４１とシャフト３２とを軸方向および周方向のそれぞれに対して連結固定させる。
【００３２】
一方、床ブラシ９のケース体１１内の一方の軸支凹部５１の後側には、駆動手段としてのモータ６１が収容されている。このモータ６１の先端部には、このモータ６１の駆動により回転する回転軸６２が突出している。この回転軸６２には、外周面に図示しないギア溝が形成された歯車６３が同心状に取り付けられている。この歯車６３のギア溝は、受板４１の歯車部４７のギア溝４６に等しい間隔および大きさに形成されている。さらに、この歯車６３は、床ブラシ９のケース体１１内に取り付けられた回転ブラシ１３の一方の受板４１の後側に位置し、この受板４１の回転方向に一致した回転方向を有している。
【００３３】
そして、この歯車６３と回転ブラシ１３の一方の受板４１の歯車部４７との間には、無端状の調帯としてのベルト体６４が橋渡すように巻回されている。このベルト体６４の内周面には、歯車６３のギア溝および歯車部４７のギア溝４６のそれぞれに係合可能な間隔および大きさである図示しないギア溝が形成されている。したがって、モータ６１を駆動させることにより、このモータ６１の回転軸６２の回転により歯車６３が回転し、この歯車６３の回転によってベルト体６４が回転して回転ブラシ１３の一方の受板４１が回転し、この回転ブラシ１３が周方向に向けて回転駆動される。
【００３４】
次に、上記第１の実施の形態の掃除動作を説明する。
【００３５】
掃除をする際には、掃除機本体１にホース体４および延長管８を介して床ブラシ９を接続する。そして、このホース体４の把持部７を持って押動させて、床ブラシ９を床面上で前後に走行させる。
【００３６】
このとき、掃除機本体１内の電動送風機２の駆動により発生する吸込力によって、床ブラシ９の吸込口１２から空気とともに床面上の塵埃が吸い込まれる。
【００３７】
さらに、ホース体４の手許操作部５の所定の設定ボタン６をオンして、床ブラシ９の回転ブラシ１３を回転駆動させた場合には、この回転ブラシ１３の掻取部材２１の回転により床面上の塵埃が掃き取られるとともに、この回転ブラシ１３のブラシ部材２２の回転により床面がブラッシングされる。すなわち、掻取部材２１のブレード２４の掻き出し部２３によって、絨毯などの床面の中に入り込んだ塵埃が外部へと掻き出されて取り除かれるとともに、床面にこびりついた塵埃が床面から掃き取られて取り除かれて磨かれ、床ブラシ９の吸込口１２へと吸い込まれる。
【００３８】
この後、この床ブラシ９の吸込口１２から塵埃とともに吸い込まれた空気は、この床ブラシ９から延長管８およびホース体４を順次介して掃除機本体１の本体吸込口３へと吸い込まれた後、この掃除機本体１内に収容させた集塵パックへと吸い込まれて空気とともに吸い込んだ塵埃が捕捉される。
【００３９】
上述したように、上記第１の実施の形態では、ブラシ台１４の外周に軸方向に沿って第１の係合凹部１５、および、これら第１の係合凹部１５と異なる第２の係合凹部１６を設け、第１の係合凹部１５に掻取部材２１の基端部を係止してこの掻取部材２１をブラシ台１４の径方向に向けて突出させるとともに、第２の係合凹部１６に、掻取部材２１よりも軟質のブラシ部材２２の基端部を係止し、このブラシ部材２２を掻取部材２１よりもブラシ台１４の外周からの突出量が小さい状態でブラシ台１４の径方向に向けて突出させる構成とした。
【００４０】
この結果、掻取部材２１よりも軟質のブラシ部材２２の先端部が床面に接触した際の腰砕けを防止し、掻取部材２１およびブラシ部材２２の掃除効果を充分に発揮できるので、床面を確実に掃除できる。
【００４１】
また、上記第１の実施の形態では、ブラシ台１４の第１の領域Ａ１に第１の係合凹部１５を設け、ブラシ台１４の第１の領域Ａ１よりも断面中心からの突出量が大きい第２の領域Ａ２に第２の係合凹部１６を設ける構成とした。
【００４２】
このため、ブラシ部材２２のブラシ毛２８の長さ寸法を必要以上に大きくすることなくブラシ部材２２のブラシ台１４の外周からの突出量を所望の量とすることができ、製造性を向上できる。
【００４３】
さらに、ブラシ台１４の断面中心Ｏから掻取部材２１およびブラシ部材２２のそれぞれの先端部までの突出量Ｌ１，Ｌ２を互いに等しくすることで、回転ブラシ１３を回転させた際に、掻取部材２１およびブラシ部材２２の先端部が均一な力で床面に接触するので、例えばブラシ部材の先端部を掻取部材の先端部よりもブラシ台の外周から突出させた従来の場合と比較して、回転ブラシ１３の回転バランスが崩れにくい。この結果、回転ブラシ１３の回転時に、掻取部材２１およびブラシ部材２２が床面に対して不均一な力で接触することで発生するおそれがある異音を確実に防止できる。
【００４４】
すなわち、第２の係合凹部１６の底部のブラシ台１４の断面中心Ｏからの距離Ｌ３を、ブラシ台１４の断面中心Ｏから第１の係合凹部１５の底部までの距離Ｌ４よりも大きくし、かつブラシ台１４の断面中心Ｏから掻取部材２１およびブラシ部材２２の先端部までの突出量Ｌ１，Ｌ２を略等しい状態でブラシ台１４から突出させることで、ブラシ部材２２の先端部が床面に接触した際の腰砕けを防止し、掻取部材２１およびブラシ部材２２で床面を確実に掃除できる。
【００４５】
そして、ブラシ台１４を断面視で略楕円形状にすることで、例えばブラシ台１４を断面視で矩形状などにする場合と比較して、ブラシ台１４の回転バランスの不均一を抑制でき、回転ブラシ１３の回転を安定させることができる。
【００４６】
次に、第２の実施の形態を図７を参照して説明する。なお、上記第１の実施の形態と同様の構成については同一符号を付してその説明を省略する。
【００４７】
ブラシ台１４は、第１の係合凹部１５の拡大部１７および第２の係合凹部１６の拡大部１７と断面中心Ｏとの距離がそれぞれ等しく形成されている。したがって、第１の係合凹部１５の連通部１８は、第２の係合凹部１６の連通部１８よりもブラシ台１４の外周からの深さ寸法が大きく形成されている。
【００４８】
また、ブラシ部材２２は、ブラシ毛２８の先端部とブラシ取付部２７との間の距離が、掻取部材２１のブレード２４の先端部とブレード取付部２５との間の距離と略等しく形成されている。このため、ブラシ台１４の断面中心Ｏと掻取部材２１の先端部およびブラシ部材２２の先端部それぞれとの間の距離は略等しく形成され、ブラシ部材２２のブラシ台１４の外周からの突出量が掻取部材２１のブラシ台１４の外周からの突出量よりも小さくなっている。
【００４９】
この結果、上記第１の実施の形態と同様の作用効果を奏することが可能であるとともに、掻取部材２１およびブラシ部材２２の基端部とブラシ台１４の断面中心Ｏとの間の距離が等しくなるため、回転ブラシ１３の回転バランスの不均一をより抑制できる。
【００５０】
なお、上記各実施の形態において、床ブラシ９に回転ブラシ１３を複数配設してもよい。また、この回転ブラシ１３をモータ６１にて回転駆動させたが、電動送風機２による吸気風にて回転駆動させる構成とすることもできる。
【００５１】
そして、ブラシ台１４に係合凹部１５，１６をそれぞれ２つずつ設けたが、このブラシ台１４に取り付けられる第１の清掃部材および第２の清掃部材の個数に合わせて、少なくともそれぞれ１つ以上ずつあればよい。また、この清掃部材としては、掻取部材２１やブラシ部材２２に限らず、例えば布ブレードを有した床磨部材などでもよい。この場合には、清掃部材の材質および腰の強さに応じてブラシ台１４の外周からの突出量を調整する。
【００５２】
また、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【００５３】
【発明の効果】
本発明によれば、第１の清掃部材よりも軟質の第２の清掃部材の取付部材の外周からの突出量を小さくすることで、第２の清掃部材の先端部が被掃除面に接触した際の腰砕けを防止し、第１の清掃部材および第２の清掃部材で被掃除面を確実に掃除できる。
【００５４】
また、本発明によれば、第１の清掃部材よりも軟質の第２の清掃部材の基端部を係止する第２の溝部の底部の取付部材の断面中心からの距離を、取付部材の断面中心から第１の溝部の底部までの距離よりも大きくし、かつ取付部材の断面中心から、第１の清掃部材および第２の清掃部材の先端部までの距離を等しい状態で突出させることで、第２の清掃部材の先端部が被掃除面に接触した際の腰砕けを防止し、第１の清掃部材および第２の清掃部材で被掃除面を確実に掃除できる。
【図面の簡単な説明】
【図１】本発明の第１の実施の形態の回転清掃体の一部を示す分解斜視図である。
【図２】同上回転清掃体を示す斜視図である。
【図３】同上回転清掃体の図２のＡ−Ａ断面図である。
【図４】同上回転清掃体を備えた電気掃除機の吸込口体を示す縦断面図である。
【図５】同上電気掃除機の吸込口体を示す平面図である。
【図６】同上電気掃除機の吸込口体を備えた電気掃除機を示す斜視図である。
【図７】本発明の第２の実施の形態の回転清掃体の一部を示す縦断面図である。
【符号の説明】
９    電気掃除機の吸込口体としての床ブラシ
１１    ケース体
１２    吸込口
１３    回転清掃体としての回転ブラシ
１４    取付部材としてのブラシ台
１５    第１の溝部としての第１の係合凹部
１６    第２の溝部としての第２の係合凹部
２１    第１の清掃部材としての掻取部材
２２    第２の清掃部材としてのブラシ部材
Ａ１    第１の領域
Ａ２    第２の領域
【図１】
2004358116.tif 000003
【図２】
2004358116.tif 000004
【図３】
2004358116.tif 000005
【図４】
2004358116.tif 000006
【図５】
2004358116.tif 000007
【図６】
2004358116.tif 000008
【図７】
2004358116.tif 000009